(57)【要約】【課題】  本発明はインバータエアコンにおいて、運転条件（就寝／一般／回数）による広い範囲の固有振動数にも能動的に対応することができるだけでなく、圧縮機から室外機全体に伝えられる振動のパワーを效果的に減殺させるようにすることによって振動から機器を保護して、機器の固有寿命を充分に発揮できるだけでなく、振動による騷音を低減させることによって消費者の便宜性を増大させる。【解決手段】  本発明はエアコン配管装置に関したことであって、エアコン室外機内の圧縮機に連結するルーピング形状の配管において、配管の一定区間で複数本に配管を分枝して、任意の地点で合枝する配管構造である。したがって本発明によれば配管を流れる冷媒の脈動や圧縮機の周期振動が分枝されてから合枝されながら起こる干渉現象によって振動を低減できる。【選択図】      図３
2005083732.tif 000002
【特許請求の範囲】
【請求項１】
蒸発器、圧縮機及び凝縮部を少なくとも一つ以上含んで前記構成部を相互に連結する配管において、
前記配管を複数本に分枝及び合枝して形成することを特徴とするエアコン配管装置。
【請求項２】
前記配管は、圧縮部に連結した吐出部及び吸入部の少なくとも一つ以上の部分に構成されることを特徴とする請求項１に記載のエアコン配管装置。
【請求項３】
配管の分枝は、吐出配管及び吸入配管の最初または任意の位置で複数本に分枝されてルーピング形態を取ることを特徴とする請求項２に記載のエアコン配管装置。
【請求項４】
複数本に分枝された配管は、いずれか一定の地点で再び合枝されることを特徴とする請求項３に記載のエアコン配管装置。
【請求項５】
分枝された配管は、同一な有効面積を有する複数本の分枝管を形成することを特徴とする請求項１に記載のエアコン配管装置。
【請求項６】
分枝された配管の一定地点に圧縮時発生する力を緩和するための手段を添付することを特徴とする請求項１に記載のエアコン配管装置。
【請求項７】
前記圧縮時発生する力を緩和する手段は、弾性体材質の集中質量を前記ルーピングされた管の下段部位に設置することを特徴とする請求項６に記載のエアコン配管装置。
【請求項８】
前記集中質量は、前記圧縮機の吸入配管及び／または吐出配管のルーピング下段地点に構成することを特徴とする請求項７に記載のエアコン配管装置。
【請求項９】
配管の分枝部を二個以上構成して、それにより合枝部を二個以上構成することができることを特徴とする請求項１に記載のエアコン配管装置。
【請求項１０】
複数の合枝部を合枝する第２合枝部を構成することもできることを特徴とする請求項９に記載のエアコン配管装置。
【請求項１１】
前記の複数本の分枝管は、相互に一定角度を維持することを特徴とする請求項１に記載のエアコン配管装置。
【請求項１２】
前記の複数本の分枝管は、各々ＸＹ平面、ＹＺ平面またはＺＸ平面に置かれることを特徴とする請求項１１に記載のエアコン配管装置。
【請求項１３】
前記の複数本の分枝管は、各々ＸＹ平面、ＹＺ平面またはＺＸ平面のうち二以上の平面上に置かれることを特徴とする請求項１１に記載のエアコン配管装置。
【発明の詳細な説明】
【技術分野】
【０００１】
本発明は配管装置に係り、特にエアコン室外機の配管構造において、ルーピング（ｌｏｏｐｉｎｇ）形態の配管を有するエアコンにおいて配管の形状を分枝後合枝させるように形状を変化させて圧縮機からの振動の影響を最小化できるようにするエアコン配管装置に関する。
【背景技術】
【０００２】
一般的な圧縮機は、所定の媒質を圧縮させる機械であって多様な分野で用いられているが、これらのエアコンに用いられる圧縮機は圧縮、凝縮、膨脹、蒸発の過程を経る冷凍工程における圧縮工程に用いられている。
【０００３】
図１は、従来のエアコンを概略的に示す図面である。
【０００４】
図１を参照すれば、従来のエアコンは室外に配置されて外部空気と熱交換を行う室外機１０と、室内に配置されて空気を調和させる室内機２０と、前記室外機と室内機を連結させる連結配管３０で構成されている。
【０００５】
さらに詳細に説明すれば、前記室外機１０は、外部空気と熱交換して前記室内機２０から流入した低温低圧の気体冷媒を低温低圧の液体冷媒に変換させる手段であって、圧縮機１１、凝縮機１２及び膨脹バルブ１３で構成されている。
【０００６】
前記圧縮機１１は、前記室内機２０から流入した低温低圧の気体冷媒が、高温高圧の気体冷媒に変換される部材であって、前記凝縮機１２は前記高温高圧の気体冷媒が中温高圧の液体冷媒に変換される部材であって、前記膨脹バルブ１３は前記中温高圧の液体冷媒が低温低圧の液体冷媒に変換される部材である。
【０００７】
ここで前記凝縮機１２は、外部との熱交換が直接起こる部材であって、外部空気の噴射のために別途のファン１２ａが備わっている。
【０００８】
一方、前記室内機２０の蒸発器２１では前記室外機１０の構成要素を通過して変化した低温低圧の液体冷媒が低温低圧の気体冷媒に変換されるが、この時の蒸発を利用して室内の温度を低くめるようになる。
【０００９】
前記室内機２０は、低温低圧の液体冷媒が低温低圧の気体冷媒に変換される蒸発器２１と、ファン２１ａで構成されている。前記連結配管３０は前記室外機１０と室内機２０を連結させて冷媒を流動させる部材であって、前記室外機１０と室内機２０の距離によって適正に配置されるようになる。
【００１０】
ところが、前記室外機１０に位置する圧縮機１１では圧縮作用によって多くの振動が発生するが、この振動は前記圧縮機１１に連結している吸入、吐出配管に沿って他部材に伝えられる。このような振動の伝達は結局エアコン全体の振動を発生させることによってこれに対する対策が必要であるので、配管にルーピングを与えたりその長さを長くしたりまたは集中質量を適用させる等の方法が考案された。
【００１１】
すなわち、従来技術による圧縮機周辺におけるまた他の配管構造は、圧縮機に連結した配管１５２、１５３をルーピング処理した後、別途の集中質量１４０を適用させた。すなわち、室内機（図示せず）から流入する低温低圧の気体冷媒はサービスバルブ１１０に連結している外部配管を通じて室外機に流入するようになるが、このように流入した低温低圧の気体はアキュムレーター１３０を経て液体成分が除去された後圧縮機１５０で圧縮されて高温高圧の気体冷媒に変えられた後凝縮機に流入する。
【００１２】
この時前記圧縮機１５０では圧縮工程によって甚だしい振動が発生するが、このような振動は前記圧縮機１５０に連結している吸入及び吐出配管１５２、１５３を通じてシステムの他の部位に振動が伝えられるのでこれを制御する必要がある。このような前記振動の伝達を制御するために配管を長くしなければならないが、これはルーピング処理して解決して、ひいてはゴム等のような弾性体材質の集中質量１４０を前記ルーピングされた管の下段部位に設置するが、ここで前記集中質量１４０は前記圧縮機１５０の吸入及び吐出配管１５２、１５３のルーピング下段地点に配置させる。
【００１３】
また、前記圧縮機１５０とアキュムレーター１３０に入出される配管は、すべてリバーシングコイル１２０を経るようにすることによって、振動を抑制している。ここで前記リバーシングコイル１２０は配管を干渉しないようにシステムの裏側上部空間に配置させて、前記リバーシングコイル１２０の入口及び出口の方向は下へ向かうようにする。
【００１４】
一方、前記吸入配管１５２のルーピングは、前記アキュムレーター１３０から始めて逆にＵ字状に曲げ加工した後前記リバーシングコイル１２０の位置から上の方向へＬ字状に曲げ加工して直線で上がるように構成し、前記吐出配管１５３のルーピングは吐出部から始めて逆Ｕ字状に曲げ加工した後再び底面に沿ってＵ字状に曲げ加工して、前記リバーシングコイル１２０の位置でＬ字状に曲げ加工して直線で上がるように構成した。
【００１５】
また、前記圧縮機１５０に流入する気体冷媒を輸送する気体冷媒管１５１は、ルーピング処理なく前記リバーシングコイル１２０に直接連結し、外部配管との連結を考慮してサービスバルブ１１０に連結する。
【００１６】
しかし、前記のような従来技術による圧縮機周辺の配管構造においては、全体配管において上下方向の配管強度が脆弱なだけでなく、特にインバータエアコンにおいてはエアコンの運転条件による広い範囲の固有振動数にも能動的に対応することができなくて、圧縮機から発生して室外機全体に伝えられる振動のパワーを效果的に減殺させることができない問題点がある。
【発明の開示】
【発明が解決しようとする課題】
【００１７】
本発明はインバータエアコンにおいて、運転条件（就寝／一般／回数）による広い範囲の固有振動数にも能動的に対応することができるだけでなく、圧縮機から室外機全体に伝えられる振動のパワーを效果的に減殺させるようにすることによって振動から機器を保護して、機器の固有寿命を充分に発揮できるだけでなく、振動による騷音を低減させることによって消費者の便宜性を増大させることができるようにすることにその目的がある。
【課題を解決するための手段】
【００１８】
本発明は蒸発器、圧縮機及び凝縮部を少なくとも一つ以上含んで前記構成部を相互に連結する配管において、前記配管を複数本に分枝して形成する。
【００１９】
本発明の一例として、前記配管の分枝は吐出配管及び吸入配管の任意の位置で複数本に分枝されてルーピング形態を取る。
【００２０】
本発明の一例として、複数本に分枝された配管はいずれか一定の地点で再び合枝される。
【発明の効果】
【００２１】
本発明による低振動エアコン配管構造は、圧縮機から室外機全体に伝えられる振動のパワーを画期的に減殺させるだけでなく、エアコンの固有振動数の変更範囲も広くすることができる効果がある。
【００２２】
本発明によるまた他の効果は、冷媒の脈動や圧縮機の周期振動が分枝されてから合枝されながら起こる干渉現象によっても振動を低減できる効果がある。
【発明を実施するための最良の形態】
【００２３】
以下、本発明による低振動エアコン配管構造の望ましい実施例に対して添付した図面に基づいて説明すると次の通りである。
【００２４】
まず、本発明を概略的に説明する。
【００２５】
エアコン室外機の圧縮機配管は、必然的に圧縮機とシャシ（ｃｈａｓｓｉｓ）間に連結するので冷媒を伝達することだけでなく圧縮機の振動をシャシに伝達させて構造騷音の原因になる。
【００２６】
定速型エアコンの場合は、伝達振動を減らすために配管にルーピング形状の追加を通じて固有振動数をチューニングして運転周波数では元来生成された伝達振動を回避させる。しかし広い運転領域を有するインバータエアコンの場合では、定速型エアコンでのように運転領域に影響がないように配管の固有振動数を回避させることが容易ではない。
【００２７】
したがって配管の同一有効面積を有する二以上の複数分枝をして、各々振動方向に対応するルーピング形状を適用する場合、冷媒脈動（ｐｕｌｓａｔｉｏｎ）や圧縮機の周期振動が分枝されてから合枝されながら起こる干渉現象による振動低減効果によって伝達振動パワーを效果的に減衰させることができるだけでなく、固有振動数の変更範囲も広げることができる。
【００２８】
前記で配管の分枝または／及び合枝は、吐出配管及び吸入配管に同時にすることもでき、いずれか一配管だけですることもできる。
【００２９】
また、前記各配管における分枝及び合枝の適当な地点は、配管の形状によって適切に選択できる。すなわち配管の一定の地点ですることもでき、はじめから分枝して構成することもできることだ。もちろん合枝も分枝する場合と同じである。
【００３０】
一方、前記で有効面積は、冷媒が経由する面積、すなわち配管内部流路の面積をいうことであって、配管が同一有効面積を有する場合サイクルの変化が甚だしいことでないために一つの望ましい例として言及したが有効面積が同じでこそ効果があるのではないので必須事項ではない。
【００３１】
図３は、本発明によるエアコン室外機内の圧縮機周辺の配管構造を示す図面である。
【００３２】
図３を参照すれば、本発明による低振動エアコン配管構造は、エアコン室外機内の圧縮機に連結するルーピング形状の配管を有する従来の配管構造において、広い運転領域に対応して室外機内の圧縮機周辺配管の固有振動数を回避できるように、前記配管の一定区間に複数本の分枝管を具備させることがその特徴である。
【００３３】
これを詳細に説明すれば、エアコン室外機内の圧縮機１５０の周辺に前記圧縮機１５０と連結して、ここから振動が室外機全体に伝えられるようになる複数本の配管２１０、２２０が連結しているが、特に前記の複数本の配管２１０、２２０は前記圧縮機１５０周辺のルーピング形態における配管の一定区間の範囲に同一な有効面積を有する二以上の複数本の分枝管で形成させたのである。
【００３４】
ここで、前記の複数本の分枝管は、各々ＸＹ平面、ＹＺ平面またはＺＸ平面に置かれることが望ましく、また前記の複数本の分枝管のうち特定の分枝管はＸＹ平面、ＹＺ平面またはＺＸ平面のうち二以上の平面上に置かれるように形成させることもできる。
【００３５】
その一例で、図３における吐出配管の任意の位置である分岐部２００から分岐した第１分枝管２１０は、底面に対して垂直である状態でルーピング形状を具備させたものであるが、これはＹＺ平面上に置かれるようになることであって、第２分枝管２２０は底面に対して垂直であるものと水平である状態でルーピング形状を具備させたものであるが、これはＸＹ平面に置かれる部分とＹＺ平面上に置かれる部分が結合した形態を取っているものである。
【００３６】
すなわち、圧縮機１５０から連結して出てきた配管は、一定地点で分枝されるようになるが、この時複数本（２１０、２２０のように）の分枝管によって分枝されて、その各々は底面と一定角度を形成しながら同一な１個の平面上でルーピング形状を取ったり、また２個以上の平面上でルーピング形状を形成する部分が相互連結された形状を取ることもする。
【００３７】
前記のような本発明による低振動エアコン配管構造を有する室外機における振動の発生とこれによる振動のパワーの伝達過程を説明すれば、エアコンが圧縮、凝縮、膨脹、蒸発の過程を経る冷凍工程のうち圧縮工程を遂行するようになる時には、前記の圧縮機１５０では圧縮作用によって振動が発生するようになるが、この時前記の圧縮機１５０からの振動は前記圧縮機に連結した配管に伝達されて続いて前記配管の一定区間に結合した複数本の分枝管２１０、２２０に伝えられるようになる。
【００３８】
ここで第１分枝管２１０は、底面に対して垂直である状態でルーピング形状を備えるがＹＺ平面上に置かれるようになって、第２分枝管２２０は底面に対して垂直であるものと水平である状態でルーピング形状を備えるがＸＹ平面に置かれる部分とＹＺ平面上に置かれる部分が結合して構成されるので、前記圧縮機１５０から伝えられた振動は一部は第１分枝管２１０を経由して一部は第２分枝管２２０を経由しながらそのルーピングされた形状の分枝管内で振動が減殺されて最初振動の多くの部分が解消されてまた一部は続けて伝えられて前記分枝された管２１０、２２０の接合部分２３０で相互に合わせられるようになるがこの時前記のように分枝された管が合わせられながら、各分枝管に伝達されてきて残った振動がその干渉によって干渉されながらこの過程で多くの振動が減殺されるようになる。
【００３９】
また、本発明による低振動エアコン配管構造においては、前記分枝された複数の管の分枝された本数、分枝されながら含まれる平面の個数そして分枝された管の全体長さ等にしたがってこれに対応する固有振動数を具現することによって、エアコンの多様な固有振動数に対応できるようになるが、これは特にインバータエアコンのように就寝運転モード／一般運転モード／回数運転モード等多様な運転モードによって圧縮機１５０が多様な形態で作動するに伴った多様な性格の振動に対して、本発明による配管構造は效率的に振動を減殺することができる強みがある。
【００４０】
一方本発明の他の実施例であって、分岐したそれぞれの配管長さは相異なるように構成されることもできることである。
【００４１】
例えば、図４のように分岐した配管のルーピングの一定部分に集中質量２４０を形成させることができる。
【００４２】
すなわち、ゴム等のような弾性体材質の集中質量２４０を前記ルーピングされた管の下段部位に設置するが、ここで前記集中質量２４０は前記圧縮機１５０の吸入及び吐出配管１５２、１５３のルーピング下段地点に配置させる。
【００４３】
本発明の具現のために、他の実施例として図５に示したように配管の分岐／合枝を吸入バルブ単独または吸入バルブ及び吐出バルブすべてに構成できてまた前記で説明した集中質量も構成できることである。
【００４４】
また、本発明の分岐及び合枝を、図６に示したように分岐部を二個以上構成して前記分岐部によるそれぞれの合枝部と前記それぞれの合枝部を合枝する第２合枝部を構成することもできることである。
【００４５】
本発明は前記実施例に限定されなくて、多くの変形が本発明の思想内で当分野で通常の知識を有した者によって可能なことはもちろんである。
【産業上の利用可能性】
【００４６】
本発明は一般的な装置で用いられる配管の連結において振動を緩和するために用いられ、特にエアコンの配管装置に適切に用いられることができる。
【図面の簡単な説明】
【００４７】
【図１】従来のエアコンを概略的に示す図面である。
【図２】従来技術による圧縮機周辺の配管構造を概略的に示す図面である。
【図３】本発明によるエアコン室外機内の圧縮機周辺の配管構造を示す図面である。
【図４】本発明の他のであって、分岐した配管のルーピングの一定部分に集中質量を形成した配管構造を示した図面である。
【図５】本発明の他の実施例であって、配管の分岐／合枝を吸入バルブ単独または吸入バルブ及び吐出バルブすべてに構成可能であり、集中質量も構成できることを見せる図面である。
【図６】本発明の他の実施例であって、本発明の分岐及び合枝のために分岐部を二個以上構成して前記分岐部によるそれぞれの合枝部と前記それぞれの合枝部を合枝する第２合枝部を構成できることを示した図面である。
【符号の説明】
【００４８】
１０…室外機
１１…圧縮機
１２…凝縮機
１２ａ…ファン
２０…室内機
２１ａ…ファン
３０…連結配管
１１０…サービスバルブ
１２０…リバーシングコイル
１３０…アキュムレーター
１４０…集中質量
１５０…圧縮機
１５１…気体冷媒管
１５２…吸入配管
１５３…吐出配管
２１０…配管
２２０…配管
２４０…集中質量
【図１】
2005083732.tif 000003
【図２】
2005083732.tif 000004
【図３】
2005083732.tif 000005
【図４】
2005083732.tif 000006
【図５】
2005083732.tif 000007
【図６】
2005083732.tif 000008